(57)【特許請求の範囲】
【請求項１】
ブロック底版から起立した背面版の上部に、水路開口側に向かう略水平な張出し部を形成し、該張出し部下方のブロック底版に植生域を形成し、前記張出し部に採光孔を形成した採光孔付上部張出しブロックにおいて、背面版に上部が水路開口側から遠ざかる勾配を設けたことを特徴とする採光孔付上部張出しブロック。
【請求項２】
植生域を背面版と、底版と、上部が河床面とほぼ同じ高さの前面版とによって構成し、河床面より低く形成した請求項１記載の採光孔付上部張出しブロック。
【発明の詳細な説明】
【０００１】
【発明の属する技術分野】
本発明は、コンクリートブロックを用いて構成する水路内に植生域を形成すると共に、水路上部の有効活用面積の増加を可能にする張出し水路ブロックの改良に関する。
【０００２】
【従来の技術】
水路内に植生域を形成し、かつ水路隣接域の有効活用面積を増加させる張出し水路ブロックの例としては、本発明者らが先に提案した特開平7-324322号や、実開平5-67639号を例示することができる。前者は水路上の上部に張出し部を設けるために底版に対して、背部に上部斜め方向へ張出し部を形成する背面版部と前部に背面版部よりも低い仕切壁部をそれぞれ設けた上部張出し採光ブロックである。底部は背面版部及び仕切壁部との間で魚巣や水辺植物の植生間隙をなし、背面版部は採光植生間隙への採光が可能な角度で上部が前方となるよう鋭角で傾斜し、仕切壁部はほぼ背面版部の上部張出し天端部直下となるよう設けて採光植生間隙へ採光を可能にすると共に張出し部を水路上に設けている。後者の実開平5-67639号は下方に水路部を形成し、上方に歩道部を形成するためにほぼＺ形にコンクリートで形成している。水路部と歩道部との間に傾斜壁があって、その下方に水路部に連通する貫通孔を設けて、魚の出入りができるようになっている。
【０００３】
先に提案した特開平7-324322号は、後者の実開平5-67639号等にみられなかった生態系の保全域へ採光を可能にした点で画期的である。しかし、太陽の東又は西への傾き程度によったり、ブロックを水路の東西南北いずれかに用いた場合等、使用する態様によって、太陽が天頂に存在する前又は後の午前又は午後にしか張出し水路ブロックの植生域に太陽光が射し込まない場合もあり、水棲植物の繁茂や魚類等に対する好適な生活条件を維持するために必要な日照量が不足する場合がある。
【０００４】
【発明が解決しようとする課題】
生態系に配慮した水路を構築する際には、生物生息環境を維持するため植生域を設ける場合がほとんどであるが、河川・水路の通水を阻害しないためと植物が良好に生育し、好適な生態系を維持するための日照量に配慮して、植生域分だけ河川・水路面積を広くする必要があり、生態系配慮型の水路を設置するためには従来の三面張り水路より多くの土地が必要となる。そこで、水路内に植生域を形成すると共に、水路上部の有効活用面積の増加を可能にし、かつ、植生域に対してより多くの採光量を確保ができる張出し水路ブロックを検討した。
【０００５】
【課題を解決するための手段】
上記課題を検討した結果、ブロック底版から起立した背面版の上部に、水路開口側に向かう略水平な張出し部を形成し、この張出し部下方のブロック底部に植生域を形成し、前記張出し部に採光孔を形成した採光孔付上部張出しブロックにおいて、背面版に上部が水路開口側から遠ざかる勾配を設けたことを特徴とする採光孔付上部張出しブロックとした。ここにいう張出し部は背面版と一体であることが強度面から好ましいが、別体のものを組み付けても構わない。採光孔の形状も貫通していれば特に形状を限定するものではなく、採光が可能な範囲で多数のスリット状や丸孔群とするとか、比較的大きい角孔又は丸孔とし、これに強化ガラス、強化プラスチック等の透明板又はグレーチング、パンチングメタル等の透光可能な部材をはめてもよい。植生域維持管理のため採光孔より水路内へ入ることもできるし、誤って人が水路内へ落下した場合の脱出口とすることもできる。この張出し部は設置場所に応じて張出し幅を任意に決めることができる。また、張出し部先端を切欠いて日射量を増すこともできるし、張出し部には防護柵を設置することもできる。張出し部上面を舗装したり、補強のために張出し部裏面をリブ構造としたり、上部荷重に応じて張出し部の下に荷重を低減するための支柱を設置することなど、設計に応じて適宜実施できる。
【０００６】
また、背面版に上部が水路開口側から遠ざかる勾配を設けるとよい。更に、背面版には透水孔を形成することができる。また、採光を必要としない魚巣を透水孔の背部に設けることもできる。ブロック底部に形成される植生域は、河床面とほぼ同じ程度に設ける場合は棒状や角突状ブロックを流水方向に連設した底版上の仕切で形成されたものであってもよいし、単に植生が可能な程度の凹みでもよいが、植生域を背面版と底版と上部が河床面とほぼ同じ高さの前面版とによって構成すると、植生域をブロックの底版上に設定できる、すなわちブロックの底部を水路河床より低く設置できるので、水路通水面積が大きくなる。水路としての機能性や植栽に適し、渇水時、流水遮断時等においても植生域内に一定の水が保持され、生物の生息環境を維持できるので好ましい。加えて、植生域の置石、土砂等が流失しにくく、安定した植生域を確保できる。このように、植生域を水路河床より分離配置することにより、植生による流れの阻害を最小限におさえることができ、水路通水量の低下を防ぐことができる。特に、水路河床より低く設置すると顕著な効果が得られる。
【０００７】
【発明の実施の形態】
以下本発明の実施例を図面により詳細に説明する。図１は本発明の採光孔付上部張出しブロックを設置した水路構造の斜視図、図２は同ブロックを水路に設置した例の側面図である。これらの図にみられるように、本発明の採光孔付上部張出しブロックはブロック底版１から起立した背面版２の上部に水路開口側に向かう張出し部３を形成し、該張出し部３の下方のブロック底部に植生域４を形成しており、前記張出し部に採光孔５を設けたことを特徴とする。張出し部３の前端部には防護柵９の設置孔14を設けている。図示した例では水路の片岸へ植生域４を形成し、河床面６には貫通孔10のある平板の河床底版12を用い、対岸にはＬ型ブロック13を用いて水路を形成しているが、植生域４を両岸に形成することもできる。もちろん河床底版12もＬ型ブロック13も現場打ちコンクリートによって形成してもよい。
【０００８】
植生域４の構造は、背面版２とブロック底版１と上部が河床面６とほぼ同じ高さの前面版７とによって構成している。前面版７の上部が河床面６よりも高く施工された場合には、前面版７の上部には魚類等水中生物の移動が容易な凹状切欠きを設けてもよい。植生域４には図２に示すように置石８や擬石、土砂その他の植生に適したものを配備することによって、生物の生息環境を創成し、低水位時にもその環境を維持することができる。背面版２に透水孔11を設けて背面からの排水を可能にしている。
【０００９】
以下採光孔５を設けたことの利点を図３〜図５によって詳細に説明する。図３は張出し部３に採光孔５を設けた本発明の採光孔付上部張出しブロックにおける採光量を示す図であり、図４は採光孔を設けない場合の採光量を示す図である。これらの図から明らかなように、採光孔を設けない図４の例では、水路の東側へ植生域４を設けた場合に太陽が天頂に達する正午頃まで暗い。ところが、本発明の採光孔５のある図３の場合、採光量が増して朝から植生域４が明るく、太陽が天頂に達する以前に植生域４に日が射し込み、日照時間も長いのが分かる。
【００１０】
採光孔５の大きさも張出し部３の張出し幅も任意に決めることができる。図５は実線が張出し部３の短い張出し幅W1の例であり、２点鎖線は長い張出し幅W2の例である。張出し幅W2を長くしたことにより採光孔５も大きなものを設けることができ、採光量も増し、水路上部の有効活用面積も増す効果が得られている。
【００１１】
図６の例では背面版２が垂直の場合(実線)と勾配を設けた場合(２点鎖線)を示している。背面版に上部が水路開口側から遠ざかる勾配を設けた２点鎖線の例のように背面版２に傾斜を設けてもたれ構造にすると、張出し部が広くなることにより採光孔５が大きくなり採光量が増すし、採光孔５にグレーチング15をはめるとか、透明板を設置して通行可能にする等により、水路上部の有効活用面積も増すし、また、水路内の通水断面が広くなり、水面上の植生・生態系空間も広くとれる。この例では図面左方の棒状かつ流水方向に連設配置した区画突起16によって形成された植生域４は河床面６とほぼ同じ水準に設けている。この場合も採光孔５を設けたことにより採光量が増している。
【００１２】
【発明の効果】
本発明は張出し部に採光孔を設けたことによって日照量不足が問題となる水路内の植生域に対して採光量を増加させることができる。採光孔は排水孔としても利用できるし、植生域の管理のために採光孔から水路内に入ることもでき、誤って人が水路内へ落下した場合には脱出口とすることもできる。また、背面版を水路開口側に傾斜させなくても張出し部を設けたことによって、水路沿いの有効活用面積が増大し、通路等に利用できるし、水路内の水路通水断面積が大きく確保できる。更に、植生域を河床面以下に設けることによって、渇水時、流水遮断時等においても植生域内に一定の水が保持されるので生物の生息環境を維持することができる。加えて、置石等の流失がしにくく、安定した植生域が確保される。植生域を水路河床より低く配置することにより、植生による流れの阻害を最小限におさえることができ、水路通水量の低下を防ぐことができる。
【図面の簡単な説明】
【図１】本発明の採光孔付上部張出しブロックを設置した水路構造の斜視図である。
【図２】同ブロックを水路に使用した例の側面図である。
【図３】張出し部に採光孔を設けた本発明の採光孔付上部張出しブロックにおける採光量を示す図である。
【図４】採光孔を設けない場合の採光量を示す図である。
【図５】張出し部の張出し幅の大小の実施例の様子を示す側面図である。
【図６】背面版が垂直の場合と勾配を設けた場合の実施例の側面図である。
【符号の説明】
１  ブロック底版
２  背面版
３  張出し部
４  植生域
５  採光孔
６  河床面
７  前面版
８  置石
９  防護柵
10  貫通孔
11  透水孔
12  河床底版
13  Ｌ型ブロック
14  防護柵の設置孔
15  グレーチング
16  区画突起
【図１】
0004431269.tif 000002
【図２】
0004431269.tif 000003
【図３】
0004431269.tif 000004
【図４】
0004431269.tif 000005
【図５】
0004431269.tif 000006
【図６】
0004431269.tif 000007